(57)【要約】【課題】省電力通電モード等に変更した場合でも、装置全体の動作等が不安定になり難い販売情報管理装置等を提供すること。【解決手段】商品等の販売関連情報を管理する販売情報管理装置の通常の動作電力を供給する通常電力モードと、当該販売情報管理装置の動作電力を低減させる電力低減モードと、これらのモードの切り替え条件である切替条件情報を記憶する切替条件記憶部２６と、切替条件情報に基づいて、通常電力モード及び電力低減モードを切り替える切替部２８と、を有し、電力低減モードでは、当該販売情報管理装置の基本的動作機能管理部の動作電力を低減モードにすることが含まれている販売情報管理装置１０。【選択図】  図３
2013025712.tif 000002
【特許請求の範囲】
【請求項１】
商品等の販売関連情報を管理する販売情報管理装置であって、
当該販売情報管理装置の通常の動作電力を供給する通常電力モードと、
当該販売情報管理装置の動作電力を低減させる電力低減モードと、
これらのモードの切り替え条件である切替条件情報を記憶する切替条件記憶部と
前記切替条件情報に基づいて、前記通常電力モード及び電力低減モードを切り替える切替部と、を有し、
前記電力低減モードでは、当該販売情報管理装置の基本的動作機能管理部の動作電力を低減モードにすることが含まれていることを特徴とする販売情報管理装置。
【請求項２】
前記販売関連情報には、領収金額に関する明細情報である領収金額明細情報を含み、前記領収金額明細情報を印字する領収金額明細印刷装置と、
操作者による入力情報が入力される入力装置と、を有し、
前記切替条件情報が、少なくとも、前記領収金額明細印刷装置の動作終了情報の時刻情報である領収金額明細印刷装置動作終了時刻情報及び／又は前記入力装置から入力された入力情報に基づく当該販売情報管理装置の他の動作が終了したときの時刻情報である他の動作終了時刻情報から一定期間経過したときに適用される経過時間情報であって、
前記切替部は、当該販売情報管理装置が前記領収金額明細印刷装置動作終了時刻情報又は前記他の動作終了時刻情報、及び前記経過時間情報に基づいて前記通常電力モードを前記電力低減モードに変更するか否かを判断すると共に、
前記電力低減モードで当該販売情報管理装置が動作を開始した動作開始情報に基づいて、前記電力低減モードを前記通常電力モードに変更し、
当該販売情報管理装置は、前記動作開始情報の時刻情報である動作開始時刻情報を取得し、前記領収金額明細印刷装置動作終了時刻情報又は前記他の動作終了時刻情報と前記動作開始時刻情報に基づき、経過時間の候補情報である経過時間候補情報を生成し、
前記経過時間情報と前記経過時間候補情報に基づいて、新たな経過時間情報である新経過時間情報を生成し、前記経過時間情報を前記新経過時間情報に更新し、前記切替部が、前記新経過時間情報に基づいて、前記通常電力モードを前記電力低減モードに変更するか否かを判断することを特徴とする請求項１に記載の販売情報管理装置。
【請求項３】
前記基本的動作機能管理部が、当該販売情報管理装置で使用される多くのアプリケーションソフトウエアが共通して利用する基本的機能を提供するＯＳ（ｏｐｅｒａｔｉｏｎ  ｓｙｓｔｅｍ）であり、
前記電力低減モードでは、すなわち、表示部及びＣＰＵ（Ｃｅｎｔｒａｌ  Ｐｒｏｃｅｓｓｉｎｇ  Ｕｎｉｔ）を含む前記ＯＳの動作を省電力モードとし、前記領収金額明細印刷装置、ハードディスク及びドロワーへの動作は省電力モードとしないことを特徴とする請求項１又は請求項２に記載の販売情報管理装置。
【請求項４】
前記新経過時間情報が、前記経過時間情報と前記経過時間候補情報に基づく、平均値情報及びその標準偏差情報を含むことを特徴とする請求項２又は請求項３に記載の販売情報管理装置。
【請求項５】
前記電力低減モードでは、前記表示部の電源を切断状態又は、前記表示部の輝度が低下する状態すると共に、前記ＣＰＵの動作を停止する命令情報の基底値を上げ、実行され易い状態とすることを特徴とする請求項３又は請求項４に記載の販売情報管理装置。
【請求項６】
前記販売情報管理装置の前記販売関連情報を取得し、管理する販売関連情報管理装置を有する販売情報管理システムであって、
前記動作開始時刻情報は、前記入力装置の前記入力情報が入力されたときの時刻情報及び前記販売情報管理装置が、前記販売関連情報を前記販売関連情報管理装置に送信したときの時刻情報を含むことを特徴とする請求項２乃至請求項５のいずれか１項に記載の販売情報管理システム。
【請求項７】
商品等の販売関連情報を管理する販売情報管理方法であって、
当該販売情報管理装置の通常の動作電力を供給する通常電力モードと、
当該販売情報管理装置の動作電力を低減させる電力低減モードと、を有し、
これらのモードの切り替え条件である切替条件情報に基づいて、前記通常電力モード及び電力低減モードを切り替え、
前記電力低減モードでは、当該販売情報管理装置の基本的動作機能管理部の動作電力を低減モードにすることが含まれていることを特徴とする販売情報管理方法。
【発明の詳細な説明】
【技術分野】
【０００１】
本発明は、例えば、商品等を販売等する店舗等の販売情報管理装置、販売情報管理システム及び販売情報管理方法に関するものである。
【背景技術】
【０００２】
従来より、商品等を販売等する店舗等の販売情報を管理するため、例えば、ＰＯＳ（Ｐｏｉｎｔ  ｏｆ  ｓａｌｅ  ｓｙｓｔｅｍ）装置と呼ばれる、販売時点情報管理装置が各店舗等に設置され、各店舗等の売り上げ等のデータが管理されている。
このような、ＰＯＳ装置は、各店舗の売り上げ等を管理しているため、店舗等が営業等している間は必ず稼動等させる必要があり、どうしても使用する消費電力が増加する傾向にあった。
そこで、かかるＰＯＳ装置の消費電を減少させるために、ＰＯＳ装置が一定時間、不使用の場合に、通常の通電状態から自動的に省電力通電状態に切り換わる装置等が開示されている（例えば、特許文献１）。
【先行技術文献】
【特許文献】
【０００３】
【特許文献１】特開２００６―２５２２４９公報
【発明の概要】
【発明が解決しようとする課題】
【０００４】
しかし、販売情報管理装置である例えば、ＰＯＳ装置を単純に省電力通電状態に変更し、消費電力を小さくすると、ＰＯＳ装置全体の動作が不安定となり、同装置が記憶している売上げ等データに問題が発生するおそれがあり、このおそれは売上げデータを処理しているＰＯＳ装置の性質上、看過できない問題となっていた。
【０００５】
そこで、本発明は、省電力通電モード等に変更した場合でも、装置全体の動作等が不安定になり難い販売情報管理装置、販売情報管理システム及び販売情報管理方法を提供することを目的とする。
【０００６】
上記目的は、本発明にあっては、商品等の販売関連情報を管理する販売情報管理装置であって、当該販売情報管理装置の通常の動作電力を供給する通常電力モードと、当該販売情報管理装置の動作電力を低減させる電力低減モードと、これらのモードの切り替え条件である切替条件情報を記憶する切替条件記憶部と、前記切替条件情報に基づいて、前記通常電力モード及び電力低減モードを切り替える切替部と、を有し、前記電力低減モードでは、当該販売情報管理装置の基本的動作機能管理部の動作電力を低減モードにすることが含まれていることを特徴とする販売情報管理装置により達成される。
【０００７】
前記構成によれば、電力低減モードでは、当該販売情報管理装置の基本的動作機能管理部の動作電力を低減モードにすることが含まれている。
したがって、電力低減モードでは、例えば、当該販売情報管理装置で使用される多くのアプリケーションソフトウエアが共通して利用する基本的機能を提供するＯＳ（Ｏｐｅｒａｔｉｎｇ  Ｓｙｓｔｅｍ）等の基本的動作機能管理部への電力供給等も低減される。
従来は、販売情報管理装置を電力低減モードにする際に、ＯＳ等への電力供給は、そのままで、ＯＳ等に対してデータ等を提供するＢＩＯＳ（Ｂａｓｉｃ  Ｉｎｐｕｔ／Ｏｕｔｐｕｔ  Ｓｙｓｔｅｍ）等を介して電力制御をし、電力を低減していた。
これでは、十分に電力が供給されているＯＳ等と電力が低減されている他の部分との間で動作に不具合等が発生し、販売情報管理装置全体の動作の不安定を招くおそれがあった。
そして、これは、販売情報管理装置が管理している販売データ等の販売関連情報に悪い影響を与え、データに問題を与えるおそれがあることを意味し、極めて重要な問題であった。そこで、従来は、かかる問題があるため、ＰＯＳ（Ｐｏｉｎｔ  ｏｆ  ｓａｌｅ  ｓｙｓｔｅｍ）装置等の販売情報管理装置に電力低減モードを採用することに躊躇することが多かった。
【０００８】
しかし、本発明では、電力低減モードで、ＯＳ等も同様に電力が低減されるので、販売情報管理装置全体の動作の不安定を招くことなく、同装置が記憶している売上げ等データに問題が発生するおそれがない。このため、店舗等にとって極めて重要な機器であるＰＯＳ装置等の販売情報管理装置に対しても電力低減モードを導入し易い構成となっている。
【０００９】
好ましくは、前記販売関連情報には、領収金額に関する明細情報である領収金額明細情報を含み、前記領収金額明細情報を印字する領収金額明細印刷装置と、操作者による入力情報が入力される入力装置と、を有し、前記切替条件情報が、少なくとも、前記領収金額明細印刷装置の動作終了情報の時刻情報である領収金額明細印刷装置動作終了時刻情報及び／又は前記入力装置から入力された入力情報に基づく当該販売情報管理装置の他の動作が終了したときの時刻情報である他の動作終了時刻情報から一定期間経過したときに適用される経過時間情報であって、前記切替部は、当該販売情報管理装置が前記領収金額明細印刷装置動作終了時刻情報又は前記他の動作終了時刻情報、及び前記経過時間情報に基づいて前記通常電力モードを前記電力低減モードに変更するか否かを判断すると共に、前記電力低減モードで当該販売情報管理装置が動作を開始した動作開始情報に基づいて、前記電力低減モードを前記通常電力モードに変更し、当該販売情報管理装置は、前記動作開始情報の時刻情報である動作開始時刻情報を取得し、前記領収金額明細印刷装置動作終了時刻情報又は前記他の動作終了時刻情報と前記動作開始時刻情報に基づき、経過時間の候補情報である経過時間候補情報を生成し、前記経過時間情報と前記経過時間候補情報に基づいて、新たな経過時間情報である新経過時間情報を生成し、前記経過時間情報を前記新経過時間情報に更新し、前記切替部が、前記新経過時間情報に基づいて、前記通常電力モードを前記電力低減モードに変更するか否かを判断することを特徴とする。
【００１０】
前記構成によれば、切替条件情報が、少なくとも、領収金額明細印刷装置の動作終了情報の時刻情報である領収金額明細印刷装置動作終了時刻情報及び／又は入力装置から入力された入力情報に基づく当該販売情報管理装置の他の動作が終了したときの時刻情報である他の動作終了時刻情報から一定期間経過したときに適用される経過時間情報となっている。
すなわち、前記構成では、例えば、レシートプリンタの動作終了時刻である領収金額明細印刷装置動作終了時刻情報を基準として、一定時間経過したか否かを判断する。
これは、ＰＯＳ装置等の販売情報管理装置、特有の動作終了イベントであり、ＰＯＳ装置等の場合、このイベントにより、明確且つ容易に、その動作が終了したことを把握できる。
したがって、かかるイベントを基準とすることで、簡易且つ的確に、その動作の終了を把握することができる。
【００１１】
前記構成では、経過時間情報と経過時間候補情報に基づいて、新たな経過時間情報である新経過時間情報を生成し、経過時間情報を新経過時間情報に更新し、切替部が、新経過時間情報に基づいて、通常電力モードを電力低減モードに変更するか否かを判断する。
したがって、例えば、ＰＯＳ装置等の販売情報管理装置の領収金額明細印刷装置等の動作が停止してから、動作開始情報を取得して電力低減モードに変更するまでの時間である経過時間情報を実際の動作停止時間に基づいて修正することができる。
したがって、ＰＯＳ装置等の販売情報管理装置を配置している各店舗等の事情に応じた的確な経過時間に近づけるべく、経過時間は新経過時間で常に更新されることになる。
【００１２】
好ましくは、前記基本的動作機能管理部が、当該販売情報管理装置で使用される多くのアプリケーションソフトウエアが共通して利用する基本的機能を提供するＯＳ（ｏｐｅｒａｔｉｏｎ  ｓｙｓｔｅｍ）であり、前記電力低減モードでは、すなわち、表示部及びＣＰＵ（Ｃｅｎｔｒａｌ  Ｐｒｏｃｅｓｓｉｎｇ  Ｕｎｉｔ）を含む前記ＯＳの動作を省電力モードとし、前記領収金額明細印刷装置、ハードディスク及びドロワーへの動作は省電力モードとしないことを特徴とする。
【００１３】
前記構成によれば、電力低減モードでは、すなわち、表示部及びＣＰＵ（Ｃｅｎｔｒａｌ  Ｐｒｏｃｅｓｓｉｎｇ  Ｕｎｉｔ）を含むＯＳの動作を省電力モードとし、領収金額明細印刷装置、ハードディスク及びドロワーへの動作は省電力モードとしない構成となっている。
したがって、ＰＯＳ装置等の販売情報管理装置の動作のうち省電力可能な部分については、省電力モードとし、省電力が困難な部分を省電力モードに含めないこととすることで、販売情報管理装置の基本的な機能の動作に障害が生じない状態で、省電力を図ることができる。
【００１４】
好ましくは、前記新経過時間情報が、前記経過時間情報と前記経過時間候補情報に基づく、平均値情報及びその標準偏差情報を含むことを特徴とする。
【００１５】
前記構成によれば、新経過時間情報が、経過時間情報と経過時間候補情報に基づく、平均値情報及びその標準偏差値情報を含んでいる。
このため、標準偏差値情報の設定を変更することで、新経過時間情報を容易且つ的確に調整することができるので、容易に各店舗等の実情に合致した新経過時間情報とすることができる。
【００１６】
好ましくは、前記電力低減モードでは、前記表示部の電源を切断状態又は、前記表示部の輝度が低下する状態すると共に、前記ＣＰＵの動作を停止する命令情報の基底値を上げ、実行され易い状態とすることを特徴とする。
【００１７】
好ましくは、前記販売情報管理装置の前記販売関連情報を取得し、管理する販売関連情報管理装置を有する販売情報管理システムであって、前記動作開始時刻情報は、前記入力装置の前記入力情報が入力されたときの時刻情報及び前記販売情報管理装置が、前記販売関連情報を前記販売関連情報管理装置に送信したときの時刻情報を含むことを特徴とする。
【００１８】
前記構成によれば、前記動作開始時刻情報は、前記入力装置の前記入力情報が入力されたときの時刻情報及び前記販売情報管理装置が、前記販売関連情報を前記販売関連情報管理装置に送信したときの時刻情報を含む。
このため、操作者が入力装置を用いてデータ等を入力した場合だけでなく、例えば、自動的に販売情報管理装置の販売関連情報が販売関連情報管理装置に送信される場合も、電力低減モードから通常電力モードに変更される。
このため、例えば、操作者の操作でなく、自動的に販売関連情報が販売関連情報管理装置に送信される場合でも、通常電力モードに変更されるので、売上げ等の重要な販売関連情報の送信に支障等が生じることを未然に防止することができる。
【００１９】
前記目的は、本発明によれば、商品等の販売関連情報を管理する販売情報管理方法であって、当該販売情報管理装置の通常の動作電力を供給する通常電力モードと、当該販売情報管理装置の動作電力を低減させる電力低減モードと、を有し、これらのモードの切り替え条件である切替条件情報に基づいて、前記通常電力モード及び電力低減モードを切り替え、前記電力低減モードでは、当該販売情報管理装置の基本的動作機能管理部の動作電力を低減モードにすることが含まれていることを特徴とする販売情報管理方法により達成される。
【発明の効果】
【００２０】
以上説明したように、本発明によれば、省電力通電モード等に変更した場合でも、装置全体の動作等が不安定になり難い販売情報管理装置、販売情報管理システム及び販売情報管理方法を提供することができる。
【図面の簡単な説明】
【００２１】
【図１】本発明の販売情報管理システムである例えば、ＰＯＳシステムを示す概略図である。
【図２】ＰＯＳ装置の主なハードウエア構成等を示す概略図である。
【図３】本発明の実施の形態にかかるＰＯＳシステムの主な動作等を示す概略フローチャートである。
【図４】平均値と標準偏差値との関係を示す概略説明図である。
【発明を実施するための形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明の販売情報管理システムである例えば、ＰＯＳ（Ｐｏｉｎｔ  ｏｆ  ｓａｌｅ  ｓｙｓｔｅｍ）システム１を示す概略図である。
図１に示すように、ＰＯＳシステム１は、販売情報管理装置である例えば、ＰＯＳ装置（販売時点情報管理装置）１０と販売関連情報管理装置である例えば、ＰＯＳ管理サーバ２を有し、これら相互に通信可能な構成となっている。
すなわち、ＰＯＳ装置１０は、商品等の販売等を行う店舗等に設置され、この店舗のＰＯＳ装置１０に入力された販売関連情報である例えば、販売データ等は、通信によりＰＯＳ管理サーバ２へ送信される。すなわち、ＰＯＳ管理サーバ２は、各店舗のＰＯＳ装置１０から取得した販売データ等を管理することができる構成となっている。
【００２４】
図２は、ＰＯＳ装置１０の主なハードウエア構成等を示す概略図である。また、ＰＯＳ管理サーバ２もコンピュータ等を有するが、ここでは、図２のＰＯＳ装置１０を例に、その構成を説明する。
図２に示すように、ＰＯＳ装置１０は、コンピュータを有し、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３やハードディスク１４等を有し、バス１５を介して接続されている。
【００２５】
また、図２に示すように、各種データを表示する表示部である例えば、ディスプレイ１６やＰＯＳ装置１０の操作者が各種データを入力する入力装置１７もバス１５に接続されている。
この入力装置１７は、具体的には、バーコードを読み込むスキャナ、キーボード等に配置されている操作ボタン、ディスプレイ１６に接触することでデータの入力ができるタッチパネル及びカード等の磁気データ等を読み取るカードスキャナ等を含んでいる。
【００２６】
さらに、領収金額書明細印刷装置である例えば、レシートプリンタ１８もバス１５に接続されている。
このレシートプリンタ１８は、店舗に来訪した顧客が商品を購入した際、ＰＯＳ装置１０の操作者が入金データを入力装置１３で入力し、処理が終了すると領収金額等が印字等されるもので、入金後の一連の処理が終了した段階で動作等するという特徴を有している。
また、現金等を収納する引き出しであるドロワー１９、時刻データを生成する時計等の計時装置２０、図１のＰＯＳ管理サーバ２と通信するための通信装置２１等もバス１５に接続されている。
【００２７】
図１に示すように、ＰＯＳ装置１０は、制御部２２を有し，制御部２２は図２に示すレシートプリンタ１８、入力装置１７、計時装置２０、ディスプレイ１６、ドロワー１９及び通信装置２１等を制御している。
【００２８】
また、図１に示すようにＰＯＳ装置１０は、各種処理部（プログラム）や記憶部等も制御するが、これら各種処理部（プログラム）や記憶部等の内容については、後述する。
【００２９】
図３は、本発明の実施の形態にかかるＰＯＳシステム１の主な動作等を示す概略フローチャートである。以下、本実施の形態を図３のフローチャートに沿って説明すると共に、図１及び図２の構成等についても説明する。
【００３０】
店舗等に配置されているＰＯＳ装置１０を操作者が操作している状態では、ＰＯＳ装置１０は、電力の低減等を行わず、通常の電力を消費する通常電力モードで動作している。
具体的には、店舗等の顧客が商品を購入しようとすると、操作者である店員が図１のＰＯＳ装置１０の入力装置１７から金額等のデータを入力する。これにより、当該データはＰＯＳ装置１０に記憶され、その結果がレシートプリンタ１８から印字されて出力されることになる。
【００３１】
このような状態で、図３のＳＴ１へ進む。ＳＴ１では、図１のレシートプリンタ１８の動作が終了したか否かと、入力装置１７による入力と、その後の一連の動作が終了したか否かが判断される。すなわち、ＰＯＳ装置１０の動作が終了したか否かが判断される。
特に、ＰＯＳ装置１０にとっては、その処理は通常、レシートプリンタ１８により印字されたレシートを顧客に渡して終わりにすることが多いため、このレシートプリンタ１８の動作が終了したか否かを判断することで、容易且つ明確にＰＯＳ装置１０の動作が終了したか否かを判断することができる。
また、ＳＴ１の判断は、具体的には、図１の動作停止判断処理部（プログラム）２３が動作して判断する。
【００３２】
ＳＴ１で、レシートプリンタ１８の動作が終了し、且つ入力装置１７によるデータの入力と、その後の一連のＰＯＳ装置１０の動作が終了したと判断された場合は、ＳＴ２へ進む。
ＳＴ２では、図１の条件該当時刻入力処理部（プログラム）２４が動作して、図１の計時装置２０を参照し、レシートプリンタ１８の動作が終了し、及び／又は入力装置１７によるデータの入力と、その後の一連のＰＯＳ装置１０の動作が終了した時点の時刻データ（領収金額明細印刷装置動作終了時刻情報及び他の動作終了時刻情報の一例）を条件該当時刻データとして、図１の条件該当時刻データ記憶部２５に記憶する。
【００３３】
次いで、ＳＴ３へ進む。ＳＴ３では、待機開始時間が経過したか否かが判断される。すなわち、ＰＯＳ装置１０の動作が終了した場合でも、直ぐに顧客からの入金等があれば、ＰＯＳ装置１０は、再び動作を開始することになる。このとき、ＰＯＳ装置１０が電力低減モードである例えば、省電力モードへ移行していると、動作の開始に時間がかかり円滑な動作が困難となる場合がる。
そこで、本実施の形態では、ＰＯＳ装置１０は、その動作の停止により、直ちに省電力モードへ移行せず、一定時間が経過し、直ぐに動作を再開する可能性が低い場合のみ、省電力モードへ移行するように経過時間情報（切替条件情報）である例えば「待機開始時間」が経過したか否かを判断する構成となっている。
【００３４】
本実施の形態の「待機開始時間」は、後述のように、ＰＯＳ装置１０を配置している各店舗の事情（顧客が多く、混雑する傾向があり、頻繁にＰＯＳ装置１０を操作するため「待機開始時間」を長く設定しておいた方が良い事情等）に応じて自動的に変更可能な構成となっている。
しかし、当該店舗等に設置された当初は「待機開始時間」例えば、２分間に設定されている。
具体的には、かかる「待機開始時間」データは、切替条件記憶部である例えば、図１の待機開始時間データ記憶部２６に記憶され、待機開始時間判断処理部（プログラム）２７が判断する。
【００３５】
ＳＴ３で、待機開始時間が経過したか否かが判断され、待機開始時間が経過していないと判断された場合、例えば、２分間経過していない等と判断された場合は、ＳＴ４へ進む。
ＳＴ４では、レシートプリンタ１８及び入力装置１７が動作しているか否かが判断され、動作していないと判断された場合は、待機開始時間の経過を待ち、動作していると判断された場合は、ＳＴ１へ戻る。
【００３６】
ＳＴ３で、待機開始時間、例えば、２分経過したと判断された場合は、ＳＴ５へ進む。ＳＴ５では、ＰＯＳ装置１０を通常電力モードである例えば、通常モードから省電力モードへ切り替える。
具体的には、切替部である例えば、図１の待機開始処理鵜（プログラム）２８が動作し、ディスプレイ１６の電源をＯＦＦ状態又は輝度を低下させた状態にする。また、ＰＯＳ装置１０の基本的機能動作管理部である例えば、ＰＯＳ装置１０で使用される多くのアプリケーションソフトウエアが共通して利用するＯＳ（Ｏｐｅｒａｔｉｎｇ  ｓｙｓｔｅｍ）への電力供給等も低減される。
具体的には、ＰＯＳ装置１０のＣＰＵ１１の動作を停止する命令である例えば、Ｈａｌｔサイクルの基底値を上げ、クロック数や電圧を低下させた状態とする。
【００３７】
従来、省電力モードでは、ＯＳに対しての電力供給を低減せず、ＯＳ等に対してデータ等を提供するＢＩＯＳ（Ｂａｓｉｃ  ｉｎｐｕｔ／Ｏｕｔｐｕｔ  Ｓｙｓｔｅｍ）等を介して電力制御し、省電力をしていた。
これでは、十分に電力が供給されているＯＳ等と電力が低減されている他の部分との間で動作に不具合等が発生し、ＰＯＳ装置１０全体の動作の不安定を招くおそれがあった。
そして、これは、ＰＯＳ装置１０が管理している販売データ等の販売関連情報に悪い影響を与え、データに問題を与えるおそれがあることを意味し、これは極めて重要な問題であった。そこで、従来は、かかる問題があるため、ＰＯＳ装置１０に省電力モードを採用することに躊躇することが多かった。
【００３８】
この点、本実施の形態では、省電力モードでは、ＯＳ等も同様に電力が低減されるので、ＰＯＳ装置１０全体の動作の不安定を招くことなく、ＰＯＳ装置１０が記憶している売上げ等データに問題が発生するおそれがない。このため、店舗等にとって極めて重要な機器であるＰＯＳ装置１０に対しても省電力モードを導入し易い構成となっている。
【００３９】
また、本実施の形態では、ＳＴ５の省電力モードでは、ＰＯＳ装置１０のうち、図２のハードディスク１４、レシートプリンタ１８及びドロワー１９は、省電力モードの対象外となっている。
すなわち、ＰＯＳ装置１０の動作のうち省電力可能な部分については、省電力モードとし、省電力が困難な部分であるハードディスク１４等を省電力モードに含めないこととすることで、ＰＯＳ装置１０の基本的な機能の動作に障害が生じない状態で、省電力を図ることができる構成となっている。
【００４０】
このように、ＰＯＳ装置１０が省電力モードとなると、次いで、ＰＯＳ装置１０が、再び動作を開始したか否かを判断する。
具体的にはＳＴ６で、ＰＯＳ装置１０の図１の入力装置１７に操作者が入力を行い、動作を開始したか否か又は、ＰＯＳ装置１０が、図１のＰＯＳ管理サーバ２へ売上げデータ等の送信動作を開始したか否かを判断する。
これは、図１の動作開始処理判断部（プログラム）２９が動作して判断する。
【００４１】
ＳＴ６で、入力装置１７に操作者が入力を行い、動作を開始し、又は、ＰＯＳ装置１０が、ＰＯＳ管理サーバ２へ売上げデータ等の送信動作を開始したと判断した場合は、ＳＴ７へ進む。
ＳＴ７では、図１の動作開始時刻データ入力処理部（プログラム）３０が動作し、図１の計時装置２０を参照して、動作開始時刻情報である例えば、ＳＴ５の入力装置１７に操作者が入力を行い、動作を開始した時刻データ、又は、ＰＯＳ装置１０が、ＰＯＳ管理サーバ２へ売上げデータ等の送信動作を開始した時刻データを取得して、これらを動作開始時刻データとして、図１の動作開始時刻データ記憶部３１に記憶する。
【００４２】
次いで、ＳＴ８へ進む。ＳＴ８では、切替部である例えば、図１の待機解除処理部（プログラム）３２が動作して、ＰＯＳ装置１０の省電力モードを通常モードに切り替える。
すなわち、ディスプレイ１６の電源をＯＮ状態又は輝度を通常に戻し、ＯＳへの電力供給等も通常状態に復帰する。
これにより、ＰＯＳ装置１０は、通常の全ての機能が通常通りに実行可能となる。したがって、本実施の形態では、必要な場合には、ＰＯＳ装置１０の機能を通常状態で使用可能であると共に、必要性が低い場合は、自動的に省電力モードとし、電力の消費を抑えることができる。
【００４３】
また、操作者が入力装置１７を用いて売上げデータ等を入力した場合だけでなく、例えば、自動的にＰＯＳ装置１０の売上げデータ等がＰＯＳ管理サーバ２に送信される場合も、省電力モードから通常モードに変更される。
このため、例えば、操作者の操作でなく、自動的に売上げデータ等がＰＯＳ管理サーバ２に送信される場合でも、通常モードに変更されるので、売上げ等の重要な販売関連情報の送信に支障等が生じることを未然に防止することができる。
【００４４】
次いで、ＳＴ９へ進む。ＳＴ９では、図１の待機開始時刻データ更新処理部（プログラム）３３が動作し、図１の動作開始時刻データ記憶部３１の動作開始時刻データ（ＰＯＳ装置１０が所定の動作を再開した時刻等）と、図１の条件該当時刻データ記憶部２５の最新の条件該当時刻データ（ＰＯＳ装置１０が所定の動作を休止した時刻等）から経過時間候補情報である例えば、動作休止時間データ（実際にＰＯＳ装置１０が所定の動作を休止した時間等）を生成する。
そして、この動作休止時間データと図１の待機開始時間データ記憶部２６の待機開始時間データを合算し、その平均値を求めると共に、標準偏差値を算出する。
【００４５】
図４は、平均値と標準偏差値との関係を示す概略説明図である。図４には、平均値と標準偏差の広がりが示されている。
このように、本実施の形態では、この標準偏差値の値を適宜定めることで、平均値を含む一定の広がりを、その範囲とすることができる。
【００４６】
そして、この標準偏差値の広がりに基づいて、新経過時間情報である例えば、新たな待機開始時間データを生成し、図１の待機開始時間データ記憶部２６の待機開始時間データを更新する。
例えば、初期段階で、待機開始時間データが例えば、２分の場合で、上述の平均値が４分の場合、標準偏差値の値を適宜定めることで、例えば、３分３０秒から４分３０秒の間の範囲の数値を得ることができる。
【００４７】
そこで、本実施の形態では、例えば、４分３０秒を新たな待機開始時間データとし、待機開始時間データを更新することで、次回からは、ＰＯＳ装置１０が所定の休止状態になっても、４分３０秒経過しなければ、省電力モードへ移行しない構成とすることができる。
このため、当該店舗で、ＰＯＳ装置１０の所定の休止状態から４分後に顧客が購入に来る場合でも、その直前にＰＯＳ装置１０を省電力モードへ移行してしまうという不都合を未然に回避することができる。
また、本実施の形態では、この新たな待機開始時間データは、当該店舗の実際のＰＯＳ装置１０の所定の動作の休止時間に基づいて定められ、待機開始時間データは、更新されるので、本実施の形態のシステム１を利用すればするほど、当該店舗におけるより的確な「待機開始時間データ」を生成することができる構成となっている。
【００４８】
本発明は、上述の各実施の形態に限定されない。
【符号の説明】
【００４９】
１・・・ＰＯＳシステム、２・・・ＰＯＳ管理サーバ、１０・・・ＰＯＳ装置、１１・・・ＣＰＵ、１２・・・ＲＡＭ、１３・・・ＲＯＭ、１４・・・ハードディスク、１５・・・バス、１６・・・ディスプレイ、１７・・・入力装置、１８・・・レシートプリンタ、１９・・・ドロワー、２０・・・計時装置、２１・・・通信装置、２２・・・制御部、２３・・・動作停止判断処理部（プログラム）、２４・・・条件該当時刻入力処理部（プログラム）、２５・・・条件該当時刻データ記憶部、２６・・・待機開始時間データ記憶部、２７・・・待機開始時間判断処理部（プログラム）、２８・・・待機開始処理鵜（プログラム）、２９・・・動作開始処理判断部（プログラム）、３０・・・動作開始時刻データ入力処理部（プログラム）、３１・・・動作開始時刻データ記憶部、３２・・・待機解除処理部（プログラム）、３３・・・待機開始時刻データ更新処理部（プログラム）
【図１】
2013025712.tif 000003
【図２】
2013025712.tif 000004
【図３】
2013025712.tif 000005
【図４】
2013025712.tif 000006